(57)【要約】【課題】顔面との接合性及び追随性を向上させ、光の侵入を防ぎ暗部が保てるようにした排便処理用具を提供する。【解決手段】排便を貯留する伸縮性のある折り畳み可能な袋体２を備える排便処理用具１であって、  表側面３ａに粘着層４を有し、吸水性の不織布材よりなる長円形状の支持シート３の中央に前記袋体２の便流入孔２ｂを接続する開口６を穿設するとともに、前記支持シート３の両長辺側３ｄ、３ｄのそれぞれには、前記開口６と直列に並ぶように摘み部５、５を突出し、  前記開口６の内周縁６ａに前記支持シート３の裏側面３ｂの方向に起立するフランジ７を設け、このフランジ７の先端に薄板状の蓋８を設置してなる凹状の収納室９を形成し、折り畳まれた前記袋体２を前記収納室９に格納する。【選択図】図１
2018089327.tif 000002
【特許請求の範囲】
【請求項１】
排便を貯留する伸縮性のある折り畳み可能な袋体を備える排便処理用具であって、
表側面に粘着層を有し、吸水性の不織布材よりなる長円形状の支持シートの中央に前記袋体の便流入孔を接続する開口を穿設するとともに、前記支持シートの両長辺側のそれぞれには、前記開口と直列に並ぶように摘み部を突出し、
前記開口の内周縁に前記支持シートの裏側面の方向に起立するフランジを設け、このフランジの先端に薄板状の蓋を設置してなる凹状の収納室を形成し、折り畳まれた前記袋体を前記収納室に格納することを特徴とする排便処理用具。
【請求項２】
前記開口の内周縁となる前記支持シートの表側面に吸水性のあるフェルト材の肛門当接パッドを貼着し、前記開口の内周縁と前記肛門当接パッドとで前記開口より突出する前記袋体の前記便流入孔側の先端を挟持することを特徴とする請求項１に記載の排便処理用具。
【請求項３】
前記支持シートと同形状の剥離紙が前記粘着層に貼着され、前記支持シートの前記摘み部に重合する位置を前記剥離紙の中央部とし、この中央部に対して左側部と右側部とに前記剥離紙を分割することを特徴とする請求項１または請求項２に記載の排便処理用具。
【請求項４】
前記支持シートの両長辺側のそれぞれに突出する前記摘み部に、この摘み部先端から所定の位置であることを示す目印を設けることを特徴とする請求項１乃至請求項３に記載の排便処理用具。
【発明の詳細な説明】
【技術分野】
【０００１】  この発明は、身体の臀部に装着して肛門からの排便を回収する排便処理用具に関するものである。
【背景技術】
【０００２】  一般に、広く普及している排便処理用具は、被介護者の肛門に直接装着する便袋が提案されている。例えば、特許文献１のように排便を回収する袋の開口の周囲に粘着テープを設け、この粘着テープを肛門の周囲に貼着させて使用する排便袋とか、また、特許文献２のように袋体の開口に設けた粘着部の周囲に吸水材層を設けて、便から漏れ出た水分を吸水することができる介護用品がある。【０００３】  上記のように構成された従来の排便袋とか介護用品は、次のような課題が存在していた。すなわち、このように従来のものは、袋の開口を小さくすると排便を袋に導入しにくくなることや、開口を肛門周辺にうまく装着するのが困難になることから、便袋に設けた粘着部が必然的に大きくならざるを得ないためと考えられる。【０００４】  また、基本的に粘着部には便袋が設けられているため、便袋の開口を肛門周辺に貼着しにくいという構造上の問題もある。しかも、粘着部のほぼ中央に穿設した孔を開口としているため、該開口の周縁部を複雑な凹凸形状の肛門周りに隙間なく貼り付けるのが難しく、漏れや排便の付着面積が大きくなってしまうことの問題があった。
【先行技術文献】
【特許文献】
【０００５】
【特許文献１】特開２００３−１１６８９７号公報
【特許文献２】特開２０００−１６７１８１号公報
【発明の概要】
【発明が解決しようとする課題】
【０００６】  この発明は、以上のような課題を解決するためになされたもので、該開口の周縁を複雑な凹凸形状の人体の肛門周りに隙間なく貼り付け易くし、排便時に臀部と便袋の間に隙間が生じることなく、排便時に臀部を汚すことなく確実に便を回収し、介護者の排便処理用具の交換時の負担軽減が可能な効果を得るようにした。
【課題を解決するための手段】
【０００７】  上述した課題を解決し、かつ目的を達成するために、この発明は以下のように構成した。【０００８】  請求項１に記載の発明は、排便を貯留する伸縮性のある折り畳み可能な袋体を備える排便処理用具であって、
表側面に粘着層を有し、吸水性の不織布材よりなる長円形状の支持シートの中央に前記袋体の便流入孔を接続する開口を穿設するとともに、前記支持シートの両長辺側のそれぞれには、前記開口と直列に並ぶように摘み部を突出し、
前記開口の内周縁に前記支持シートの裏側面の方向に起立するフランジを設け、このフランジの先端に薄板状の蓋を設置してなる凹状の収納室を形成し、折り畳まれた前記袋体を前記収納室に格納することを特徴とする排便処理用具である。【０００９】  請求項２に記載の発明は、前記開口の内周縁となる前記支持シートの表側面に吸水性のある板厚状の不織布の肛門当接パッドを貼着し、前記開口の内周縁と前記肛門当接パッドとで前記開口より突出する前記袋体の前記便流入孔側の先端を挟持することを特徴とする請求項１に記載の排便処理用具である。【００１０】  請求項３に記載の発明は、前記支持シートと同形状の剥離紙が前記粘着層に貼着され、前記支持シートの前記摘み部に重合する位置を前記剥離紙の中央部とし、この中央部に対して左側部と右側部とに前記剥離紙を分割することを特徴とする請求項１または請求項２に記載の排便処理用具である。【００１１】  請求項４に記載の発明は、前記支持シートの両長辺側のそれぞれに突出する前記摘み部に、この摘み部先端から所定の位置であることを示す目印を設けることを特徴とする請求項１乃至請求項３に記載の排便処理用具である。
【発明の効果】
【００１２】  前記の構成により、この発明は以下の効果を有する。【００１３】  請求項１に記載の発明では、表側面に粘着層を有し、吸水性の不織布材よりなる長円形状の支持シートの中央に前記袋体の便流入孔を接続する開口を穿設するとともに、前記支持シートの両長辺側のそれぞれには、前記開口と直列になるように摘み部を突出するので、前記摘み部を両手で持って引っ張りながら前記支持シートを伸ばすことができ、前記支持シートを張った状態で臀部に貼着することにより、前記支持シートに皺が発生しなく、皺の隙間に便が流れでて躰を汚すことがなくなる。前記支持シートの貼着の仕方が悪くて前記支持シートに皺が発生し、皺の隙間に便が流れても吸水性の不織布材よりなる前記支持シートが便を吸収し、外部に漏れ出ることを防止できる。【００１４】  また、前記開口の内周縁に前記支持シートの裏側面の方向に突出するフランジを設け、このフランジの先端に薄板状の蓋を設置してなる凹状の収納室を形成し、折り畳まれた前記袋体を前記収納室に格納するので、前記開口が補強されることになり、前記摘み部を両手で持って引っ張り伸ばしも、前記開口が裂けることがなく、便が前記袋体に入る前に外部に漏れない。しかも、前記袋体が折り畳まれて前記蓋付の前記収納室に格納されるので、前記袋体が破損しないように保護されるとともに、前記袋体が隠れることになり外観上よくなる。【００１５】  請求項２に記載の発明では、前記開口の内周縁となる前記支持シートの表側面に吸水性のあるフェルト材の肛門当接パッドを貼着し、前記開口の内周縁と前記肛門当接パッドとで前記開口より突出する前記袋体の前記便流入孔側の先端を挟持するので、前記開口と前記袋体との接続に隙間ができないことと、吸水性のある板厚状の不織布の前記肛門当接パッドが便を吸収することで、便の漏れを防ぎ臀部を汚すことなくなる。しかも、前記開口より突出する前記袋体の前記便流入孔の先端を前記開口の内周縁と前記肛門当接パッドが挟持することにより前記袋体の取付けが容易にでき、部品点数が削減されて構造が簡単になる。【００１６】  請求項３に記載の発明では、前記支持シートと同形状の剥離紙が前記粘着層に貼着され、前記支持シートの前記摘み部に重合する位置を前記剥離紙の中央部とし、この中央部に対して左側部と右側部とに前記剥離紙を分割するので、前記剥離紙の前記中央部を剥がして前記粘着層にし、この状態で前記開口を肛門に合わせながら前記剥離紙の前部中央部を臀部の股間に貼着させ、次に前記剥離紙の左側部または右側部のいずれかを剥がして片側ごとに臀部に貼着させることによって、複雑な凹凸形状の肛門周りに隙間なく貼着ることができ、前記排便処理用具の装着が容易になる。【００１７】  請求項４に記載の発明では、前記支持シートの両長辺側のそれぞれに突出する前記摘み部に、この摘み部先端から所定の位置であることを示す目印を設けるので、前記支持シートを女性の肛門の周りの股間に貼着する際に、前記摘み部が肛門に近接する膣口を塞ぐことになっても、前記目印を裁断するか、この目印を目安にして所定の位置で裁断して、前記摘み部先端を取り除くことができ、前記膣口の邪魔になることがなく、しかも、前記目印があることにより、前記排便処理用具が女性用であることが区別できる。
【図面の簡単な説明】
【００１８】
【図１】本発明の第１の実施の形態における排便処理用具の平面図である。
【図２】本発明の第１の実施の形態における排便処理用具の底面図である。
【図３】本発明の第１の実施の形態における排便処理用具の側面図である。
【図４】図３のＡ部を示す拡大断面図である。
【図５】排便処理用具を躰の臀部に装着した状態を示す概略図である。
【図６】本発明の第２の実施の態様における排便処理用具で、（ａ）は使用前の支持シートの平面図、（ｂ）は使用時の支持シートの平面図である。
【発明を実施するための形態】
【００１９】  以下、この発明の排便処理用具の実施の形態について説明する。この発明の第１の実施の形態は、発明の最も好ましい形態を示すものであり、この発明はこれに限定されない。
【００２０】  図１から図５において符号１で示されるものは排便処理用具で、この排便処理用具１は、肛門Ｅからの排便を溜める伸縮性のある薄膜弾性材よりなる袋体２と、臀部Ｄに装着される吸水性の不織布材よりなる支持シート３とを備える。
なお、前記袋体２の内面には界面安定化ポリマー粒子を塗布し、便が前記袋体２の途中で止まることがなく、前記袋体２の底まで滑り落ちるようにする。
【００２１】  前記袋体２は断面八角形状とし、折り畳み可能になるよう蛇腹部２ａを形成し、先端を肛門Ｅからの排便が通過する便流入孔２ｂとする。なお、前記袋体２は全長を蛇腹のない円筒形として丸めて折り畳むようにしてもよい。
【００２２】  前記支持シート３は、表側面３ａに粘着層４を有する長円形状よりなり、その中央に八角形状の開口６を穿設し、この開口６に前記袋体２の前記便流入孔２ｂの先端２ｃを接続する。
【００２３】  前記支持シート３の両長辺側３ｄ、３ｄの上下のそれぞれには、前記開口６と直列に並ぶように摘み部５，５が突出し、これにより、前記開口６の短軸方向の中心線Ｃ上に位置する。また、前記支持シート３の左右の短辺側３ｄ、３ｄは円弧形に形成される。
【００２４】  前記開口６の内周縁６ａには前記支持シート３の裏側面３ｂの方向に起立するフランジ７を設け、このフランジ７の先端に薄板状の蓋８を設置して、前記蛇腹部２ａで折り畳まれた前記袋体２を格納する凹状の収納室９を形成する。
【００２５】  前記蓋８の上面にはミシン目などの亀裂８ａを設け、便の自重により前記亀裂８ａが裂け、これにより便が前記袋体２内に流入でき、しかも、前記蓋８が裂けるだけなので逆止弁状態となり、前記袋体２に溜まった便の逆流を抑制でき、前記便流入孔２ｂより外部に出ることを防止する。
【００２６】  前記フランジ７の外周に八角形状の環状ベルト１０を嵌合し、前記フランジ７を強化することができ、これにより、前記開口６が閉塞され難くなり、しかも、薄板状の蓋８が前記フランジ７の先端に被せ易くなる。
【００２７】  前記開口６の前記内周縁６ａの前記表側面３ａに八角形状の吸水性のある厚板状の不織布の肛門当接パット１１を固着し、この肛門当接パット１１により前記袋体２の前記便流入孔２ｂに対してはみ出る便を吸収し、外部に漏れないようにする。なお、前記袋体２の前記流入孔２ｂ側の先端２ｃを前記開口６の前記内周縁６ａと前記肛門当接パット１１との間で挟持し、前記フランジ７に前記便流入孔２ｂが接続される。
【００２８】  前記支持シート３と同形状よりなり、透明または半透明の剥離紙１２が前記粘着層４に貼着され、この剥離紙１２は前記摘み部５，５に重合する中央部１２ａと、この中央部１２ａに対して左側部１２ｂと右側部１２ｃとに分割される。
【００２９】  前記剥離紙１２の前記中央部１２ａを剥がして前記粘着層４にし、この状態で前記開口６を肛門Ｅに合わせながら前記前記支持シート３を複雑な凹凸形状の肛門Ｅの周りの股間に貼着できる。
【００３０】  符号１３は前記支持シート３に設けた切り込みで、この切り込み１３は前記つまみ部５、５が繋がる上下の前記長辺側３ｃ、３ｃの端縁と、前記支持シート３の左右の前記短辺側３ｄ、３ｄの中央とに設ける。
前記中央部１２を剥がす際、前記切り込み１３により、前記中央部１２ａと左右側部１２ｂ、１２ｃとが切離しやすくなる。
【００３１】  次に、第２の実施の形態について、図６の（ａ）および（ｂ）に基づいて説明する。この実施の形態において第１の実施の形態と同じ構成は同一の符号を付して説明する。
【００３２】  この第２の実施の形態では、第１の実施の形態で説明している前記支持シート３の長辺側３ｄに突出する前記摘み部５先端から所定の位置であることを示す目印１４を設ける。
【００３３】  女性の場合、前記支持シート３を肛門Ｅの周りの股間に貼着する際に、前記摘み部５が肛門Ｅに近接する膣口を塞ぐことになっても、前記目印１４を裁断するか、この目印１４を目安にして所定の位置を裁断し、前記摘み部５先端を取り除くことにより、前記膣口の邪魔になることがなく、しかも、前記目印１４があることにより、前記排便処理用具１が女性用であることが区別できる。
【００３４】  また、前記目印１４は前記支持シート３の両長辺側３ｄ、３ｄのそれぞれに突出する前記摘み部５、５に設けてもよい。
なお、前記目印１４は細線を印刷するだけでもよいが、目印１４をミシン目１４ａにして切り取りようにすると、前記支持シート３を股間に貼着する際、ハサミ等の工具を準備する必要がなくなる。
【００３５】  以上の構成による排便処理用具１を臀部Ｄに装着する際、まず、前記支持シート３に貼着した前記剥離紙１２の前記中央部１２ａを剥がして前記貼着面４を露出させ、前記摘み部５，５を両手で持って引っ張りながら前記支持シート３を伸ばし、前記支持シート３を張った状態で股間に介在させ、前記開口６を肛門Ｅに合わせて前記摘み部５、５の上方を上半身Ｄ１に、下方を下半身Ｄ２に貼着する。
【００３６】  次に、前記支持シート３を張った状態のままで、前記剥離紙１２の左側部１２ｂまたは右側部１２ｃのいずれかを剥がし、前記左側部１２ｂまたは右側部１２ｃの一方を臀部Ｄに貼着し、さらに、他方を臀部Ｄに貼着する。
【００３７】  このようにして前記排便処理用具１を躰の臀部Ｄに装着し、そして、被介護者が便意を催して排便を行うと、その排便に伴って前記袋体２の前記便流入孔２ｂに肛門Ｅから押し出され、それによって前記袋体２に入った便の自重により前記収納室９の前記蓋８がミシン目の前記亀裂８ａが裂けて、前記蛇腹部２ａが伸びて前記袋体２に便を回収する。十分に排便が完了する状態まで待って、終了を確認した状態で介護者が前記支持シート３を臀部Ｄから剥がすことによって排便された便は肛門Ｅの周りや下半身Ｄ２にひろがることがなく綺麗に処理することができる。
【００３８】  この発明による排便処理用具１においては、前記支持シート３の両長辺側３ｄ、３ｄのそれぞれには、前記開口６と直列に並ぶように前記摘み部５，５を突出するので、前記摘み部５，５を両手で持って引っ張りながら前記支持シート３を伸ばすことができ、前記支持シート３を張った状態で臀部Ｄに貼着でき、前記支持シート３に皺が発生しなく、皺の隙間に便が流れでることにより、躰を汚すことがなくなる。
【００３９】  しかも、前記開口６の内周縁６ａには、前記支持シート３の前記裏側面３ｂの方向に起立するフランジ７を設けるので、前記開口６が補強されることになり、前記摘み部５，５を両手で持って引っ張り伸ばしも、前記開口６が裂けることがなく、便が前記袋体２に入る前に外部に漏れない。
【００４０】  また、前記フランジ７の先端に薄板状の前記蓋８を設置してなる凹状の前記収納室９を形成し、前記袋体２が折り畳まれて前記収納室９に格納されるので、前記袋体２が破損しないように保護されるとともに、前記袋体２が隠れることになり外観上よくなる。
【００４１】  前記開口６の内周縁６ａとなる前記支持シート１の表側面３ａに吸水性のある厚板状の不織布の前記肛門当接パッド１１を貼着し、前記開口６の前記内周縁６ａと前記肛門当接パッド１１とで前記開口６より突出する前記袋体２の前記便流入孔６ｂの先端を挟持するので、前記開口６と前記袋体２との接続に隙間ができないことと、吸水性のある厚板状の不織布の前記肛門当接パッド１１が便を吸収することで、便の漏れを防ぎ臀部Ｄを汚すことがなく、しかも、前記開口６より突出する前記袋体２の前記便流入孔２ｂの先端を前記開口６の前記内周縁６ａと前記肛門当接パッド１１が挟持することにより前記袋体２の取付けが容易にでき、部品点数が削減されて構造が簡単になる。
【００４２】  更に、前記剥離紙１２は前記摘み部５、５に重合する中央部と、左側部１２ｂと右側部１２ｃとに分割し、前記中央部１２ａから左右側部１２ｂ、１２ｃの順序で剥がす。このため、前記剥離紙１２の前記中央部１２ａを剥がし、前記左右側部１２ｂ、１２ｃを前記支持シート３に残した状態で、前記中央部１２ａのない前記粘着層４が複雑な凹凸形状の肛門Ｅの周りの股間に皺なく貼着でき、前記左右側部１２ｂ、１２ｃが邪魔にならず、前記支持シート３の前記開口６を肛門Ｅに合わせ易く、前記排便処理用具１の装着が容易になる。
【産業上の利用可能性】
【００４３】  本発明は、排便時に臀部を汚すことなく確実に便を回収し、便の漏れを防止しつつ、便が肌に触れ難くし、介護者の負担が軽減できる排便処理用具を提供する。
【符号の説明】
【００４４】１      排便処理用具
２      袋体
２ａ    蛇腹部
２ｂ    便流入孔
２ｃ    先端
３      支持シート
３ａ    表側面
３ｂ    裏側面
３ｃ、３ｃ  短辺側
３ｄ、３ｄ  長辺側
４      粘着層
５、５  摘み部
６      開口
６ａ    内周縁
７      フランジ
８      蓋
８ａ    亀裂
９      収納室
１０    環状ベルト
１１    肛門当接パット
１２    剥離紙
１２ａ  中央部
１２ｂ  左側部
１２ｃ  右側部
１３    切り込み
１４    目印
１４ａ  ミシン目
Ｂ１    上半身
Ｂ２    下半身
Ｄ      臀部
Ｅ      肛門
Ｃ      中心線
【図１】
2018089327.tif 000003
【図２】
2018089327.tif 000004
【図３】
2018089327.tif 000005
【図４】
2018089327.tif 000006
【図５】
2018089327.tif 000007
【図６】
2018089327.tif 000008
【手続補正書】
【提出日】平成29年5月15日(2017.5.15)
【手続補正１】
【補正対象書類名】特許請求の範囲
【補正対象項目名】全文
【補正方法】変更
【補正の内容】
【特許請求の範囲】
【請求項１】
排便を貯留する伸縮性のある折り畳み可能な袋体を備える排便処理用具であって、
表側面に粘着層を有し、吸水性の不織布材よりなる長円形状の支持シートの中央に前記袋体の便流入孔を接続する開口を穿設するとともに、前記支持シートの両長辺側のそれぞれには摘み部を突出し、前記開口と２つの前記摘み部とは平面視において直列に並ぶようにし、
前記開口の内周縁に前記支持シートの裏側面の方向に起立するフランジを設け、このフランジの先端に薄板状の蓋を設置してなる凹状の収納室を形成し、折り畳まれた前記袋体を前記収納室に格納することを特徴とする排便処理用具。
【請求項２】
前記開口の内周縁となる前記支持シートの表側面に吸水性のあるフェルト材の肛門当接パッドを貼着し、前記開口の内周縁と前記肛門当接パッドとで前記開口より突出する前記袋体の前記便流入孔側の先端を挟持することを特徴とする請求項１に記載の排便処理用具。
【請求項３】
前記支持シートと同形状の剥離紙が前記粘着層に貼着され、前記支持シートの前記摘み部に重合する位置を前記剥離紙の中央部とし、この中央部に対して左側部と右側部とに前記剥離紙を分割することを特徴とする請求項１または請求項２に記載の排便処理用具。
【請求項４】
前記支持シートの両長辺側のそれぞれに突出する前記摘み部に、この摘み部先端から所定の位置であることを示す目印を設けることを特徴とする請求項１乃至請求項３に記載の排便処理用具。
【手続補正２】
【補正対象書類名】明細書
【補正対象項目名】０００８
【補正方法】変更
【補正の内容】
【０００８】  請求項１に記載の発明は、排便を貯留する伸縮性のある折り畳み可能な袋体を備える排便処理用具であって、
表側面に粘着層を有し、吸水性の不織布材よりなる長円形状の支持シートの中央に前記袋体の便流入孔を接続する開口を穿設するとともに、前記支持シートの両長辺側のそれぞれには摘み部を突出し、前記開口と２つの前記摘み部とは平面視において直列に並ぶようにし、
前記開口の内周縁に前記支持シートの裏側面の方向に起立するフランジを設け、このフランジの先端に薄板状の蓋を設置してなる凹状の収納室を形成し、折り畳まれた前記袋体を前記収納室に格納することを特徴とする排便処理用具である。
【手続補正３】
【補正対象書類名】明細書
【補正対象項目名】００１３
【補正方法】変更
【補正の内容】
【００１３】請求項１に記載の発明では、請求項１に記載の発明では、表側面に粘着層を有し、吸水性の不織布材よりなる長円形状の支持シートの中央に前記袋体の便流入孔を接続する開口を穿設するとともに、前記支持シートの両長辺側のそれぞれには摘み部を突出し、前記開口と２つの前記摘み部とは平面視において直列に並ぶようにするので、前記摘み部を両手で持って引っ張りながら前記支持シートを伸ばすことができ、前記支持シートを張った状態で臀部に貼着することにより、前記支持シートに皺が発生しなく、皺の隙間に便が流れでて躰を汚すことがなくなる。前記支持シートの貼着の仕方が悪くて前記支持シートに皺が発生し、皺の隙間に便が流れても吸水性の不織布材よりなる前記支持シートが便を吸収し、外部に漏れ出ることを防止できる。